(57)【要約】  車内の壁につながれる移動可能な背もたれによって作り出される雑音を削減するための装置及び方法。前記背もたれは、前記車内の壁から延びる剛性ストライカピンに係留するラッチブラケットを有する。高分子材料によって製造された、動的なフック挿入物は、前記ラッチブラケットに合致され、さらに前記ストライカピンに直接接触させられる。前記挿入物は、前記ラッチブラケットとの直接接触から離間される弾性的に曲がる部分に設けられる。前記弾性的に曲がる部分は、前記ストライカピンに及びストライカピンから伝達される振動を吸収するため、及び前記ストライカピンの寸法変動を自動的に吸収するために動的に移動可能とされる。
2010515610.tif 000002
【特許請求の範囲】
【請求項１】
背もたれ上のラッチブラケットに取り付けられるように構成される本体と、
前記本体に形成される、細長で全体的にＵ形状のチャンネルであって、車内の壁から延びるストライカピンを摺動的に受容するために形成されるチャンネルと、
前記ストライカピンに及び前記ストライカピンから伝達される振動を動的に吸収するため、さらには前記ストライカピン内の相対的な寸法の変動を自動的に吸収するために、前記本体に曲げ可能な部分を形成するのに、前記Ｕ形状のチャンネルから横に離れて前記本体から延びるスタンドオフを
備える、車内につながれる移動可能な背もたれ用の動的なフック挿入物。
【請求項２】
前記本体は少なくとも一つの取り付けフランジを備える請求項１記載の挿入物。
【請求項３】
前記チャンネルは、口と、前記ストライカピンの進入を助けるために前記口の近くに溝を有する前記曲げ可能な部分を備える請求項２記載の挿入物。
【請求項４】
前記スタンドオフは、前記口の近くに配置される請求項３記載の挿入物。
【請求項５】
前記曲げ可能な部分は、前記ラッチブラケットと相互に影響して動作するためのＵ形状チャンネルから全体的に横に離れて延びる保持ストラップを備える請求項３記載の挿入物。
【請求項６】
前記本体は、前記チャンネルの一方上に一対の空間的に離された取り付けフランジを備える請求項１記載の挿入物。
【請求項７】
車内の壁に向かって示される後部面を有する背もたれと、
前記後部面から延びる固いラッチブラケットであって、前記車内の壁に固定されるストライカピンを受け入れる細長で全体的にＵ形状のスロットを含むラッチブラケットと、
前記ラッチブラケットに直接的に結合される動的なフック挿入物であり、相互に空間的に離間され、かつそれぞれの上部にて結合され、前記ラッチブラケットの前記Ｕ形状のスロットと全体的に合致する全体的に平行な一対の脚部を備えるフック挿入物と、
前記ラッチブラケットの前記スロットから全体的に横に離される前記挿入物の前記脚部の少なくとも一は、前記ストライカピンに及びストライカピンから伝達される振動を吸収するため及び前記ストライカピン内の相対的な寸法の変動を自動的に吸収するために前記ラッチブラケットに相対的に動的に移動可能な弾性的に曲がる部分を備える、
車内の壁に通常つながれるタイプの移動可能背もたれ組立て体。
【請求項８】
前記曲げ部分と前記ラッチブラケットとの間に、それらの空間を維持するためにスタンドオフを配置する請求項７記載の組み立て体。
【請求項９】
前記スタンドオフは、前記挿入物の前記曲げ部分に一体に形成される請求項８記載の組み立て体。
【請求項１０】
前記挿入物は、前記弾性的に曲げられる部分の反対の脚部に少なくとも一つの取り付けフランジを備える請求項９記載の組み立て体。
【請求項１１】
前記チャンネルは、口を備え、前記ストライカピン３４の進入を助けるため前記曲げ部は前記口の近くに溝を含む請求項１０記載の組み立て体。
【請求項１２】
前記スタンドオフは、前記口の近くに配置される請求項１１記載の組み立て体。
【請求項１３】
前記曲げ部は、前記ラッチブラケットを相互に影響するように動作するために前記Ｕ形状チャンネルから全体的に横に延びる保持ストラップを備える請求項１１記載の組み立て体。
【請求項１４】
前記挿入物は、相互から離間され、かつ前記ラッチブラケットをまたぐ一対の取り付けフランジを備える請求項９記載の組み立て体。
【請求項１５】
前記一対の取り付けフランジ及び前記ラッチブラケットは少なくとも二つの整列されたホールと、さらに前記ラッチブラケットに対しての動作位置に前記挿入物を保持するために前記整列されたホールを介して延設される固締部を備える請求項１５記載の組み立て体。
【請求項１６】
移動可能背もたれと車内の壁との間の結合内での振動に誘発される雑音を低減するための方法であって、
Ｕ形状のスロットを有する背もたれ上にラッチブラケットを設けるステップと、
前記スロットに相補的なＵ形状のチャンネルを有する高分子挿入物を合致するステップと、
ストライカピンを前記車内の壁に設けるステップと、
前記ストライカピンを前記チャンネル内部に摺動的に接触することによって前記背もたれを前記車内の壁につなぐステップと、
弾性的に曲がる部分を前記挿入物にあって前記ストライカピンと隣接して接触する領域に動的にそらせるように創り出すステップと
を備える方法。
【請求項１７】
前記弾性的に曲がる部分を作り出すステップは、前記挿入物の一部と前記ラッチブラケットの前記スロットとの間に空間を形成するために、前記挿入物と前記ラッチブラケットのスロットとの間にスタンドオフを挿入するステップを含む請求項１７記載の組み立て体。
【請求項１８】
前記スロットに合致するステップは、前記弾性的に曲がる部分を前記保持ストラップにより前記ラッチブラケットに相対的に位置させるステップを含む請求項１８記載の組み立て体。
【発明の詳細な説明】
【技術分野】
【０００１】
（関連出願の表示）
本出願は、２００７年、１月４日に出願された、シリアルナンバー６０／８７８，７１３の、キャブフックアイソレータという名称の米国仮特許出願の優先権を主張する。
【０００２】
本発明は、全般的には車両座席の分野に関し、特に車内の壁に係留されるタイプの移動可能な背もたれの座席振動を最小化する改良された装置に関する。
【背景技術】
【０００３】
車内空間内に効率的に搭乗者が座るための方法は、自動車、トラック、バス、列車、水陸両用車などを含む多くの分野にて望まれている。多くの実例にあって、シートはその背もたれを車内（又は車内の壁）に直接に隣接して配置され、さらにシートクッション及び背もたれが上側に折り畳まれ、収容状態とされ、或いは「前かがみ」構造にあってシート及び背もたれが組み立て式に前にシフトされる。ピックアップトラックの第２列は、前かがみ及び購買者への魅力を考慮したスタジアムシート構造の両方用に共通に適用される。
【０００４】
従来の移動可能な背もたれデザインは、程よく働くが、それらデザインはブーン、キーキー、及びガタガタ（buzzing, squeaking and rattling;ＢＳＲ）雑音の源となる傾向がある。スタジアムタイプ及び前かがみになる座席タイプの両方にあっては、剛性の、金属製ストライカ・ワイア又はピンが車内の壁から延びている。移動可能な背もたれ上の剛性の金属製ラッチブラケットは、全体的にＵ形状のスロットがそこに形成され、背もたれを車内の壁につなぐために、ストライクピンを係留（フック）する。細長いＵ形状スロットは、キャビネットの壁につながれたままでありながらも背もたれをその様々な位置の間で動かす。しかし、背もたれと車内の壁の間のこの接続については、不快なＢＳＲ雑音を結果的として残す振動を生成する。
【０００５】
ストライカピンとラッチブラケットの間の振動の副産物となる前記ＢＳＲの不具合に取り組むために、様々な提案が提出されてきた。ひとつの具体例は、２００７年９月１８日に許可された米国特許7,270,371に説明されている。この文献にあっては、雑音を減衰するために、ラッチブラケット内のＵ形状のスロットにプラスチックの挿入物を並べることが示唆されている。この技術は、実は、シート（座席）の分野では、かなりよく知らている。非スタジアム及び非前かがみ座席構成では、２００１年９月４日に許可された米国特許6,283,550、及び１９８８年７月２６日に許可された米国特許4,759,580などに記述されている。これらの具体例にあって、静的な、非雑音又は振動減衰部分は、固定するピン付きの金属対金属の接触を防ぐためにシートフレームのフックスロットに関連する。
【０００６】
車両座席にあってＢＳＲを除去又は最小化するための従来の試みは、部分的にだけ効果的である。振動鈍化挿入物は、静的すなわち固くさらに動かないようにラッチブラケットに対して固定されるが、振動減衰にもかかわらず、座席フレーム及び／又は他の囲まれる固い構造及びＢＳＲ症状付きの共振に直接的に伝送される。
【０００７】
スタジアム及び前かがみ座席についての他の問題は、前記ストライカピンの直径と前記ラッチブラケット内のスロットの幅との間の避けられない寸法の変動である。このスライド接続におけるひとつの極端な、過度の遊びは、ＢＳＲ及び早い摩耗を強めるであろう。他の極端な、タイトなフィットは、固い操作と早い摩耗をもたらすかもしれない。つまり、移動可能な背もたれが車内の壁につながれるとき、座席振動のさらなる除去又はさらなる最小化が必要となり、またさらに、スライドラッチブラケット結合の製造部品の間の寸法変動をより適合することが必要となる。
【発明の概要】
【０００８】
本発明によれば、ダイナミックフック挿入がキャビネットの壁につなぐタイプの移動可能背もたれのために提供される。前記挿入は、背もたれ上のラッチブラケットへの取り付けのために構成される本体を備える。細長い、全体的にＵ形状のチャンネルは、本体に形成される。前記チャンネルは、キャビネットの壁から延びるストライカピンをスライドして受けるように構成される。前記ストライカピンに、及びストライカピンから伝達される振動をダイナミックに吸収するのに前記本体内にあって折り曲げ部を形成するために、さらに前記ストライカピンにおける寸法の相違を自動的に収容するために、スタンドオフが本体からＵ形状のチャンネルを全体的に横切るように延びている。
【０００９】
本発明の他の局面によれば、移動可能な背もたれ組立体は、車内の壁に通常つながれるタイプとして提供される。前記組立体は、車内の壁に向けられる後部面を有する背もたれを備える。硬いラッチブラケットは前記背もたれの後部面から延びている。前記ラッチブラケットは、縦長の全体的にＵ形状スロットを前記車内の壁に固定されるストライカピンを受けるために備えている。ダイナミックフック挿入物は、前記ラッチブラケットに直接的に結合される。前記挿入物は、相互に離間され、さらにそれぞれの上端部にて結合された全体的に平行な脚部を備える。前記脚部間の分離は、前記ラッチブラケットの前記Ｕ形状スロットを合致する、細長く、全体的にＵ形状のチャンネルを形成する。前記挿入物の前記脚部の少なくとも一つは、前記ラッチブラケットの前記スロットから全体的に横切るように離され、かつ前記ストライカピンに、及び、前記ストライカピンから伝搬される振動を吸収するため、さらに前記ストライカピンにおける寸法の相違を自動的収容するために、前記ラッチブラケットに対してダイナミックに移動可能な弾性的に折り曲げられる部分を備える。
【００１０】
本発明のさらに他の局面によれば、移動可能な背もたれと車内の壁との間の連結において振動に誘発される雑音を低減するための方法が提供される。前記方法は、Ｕ形状のスロットを有する背もたれ上にラッチブラケットを設けるステップと、相補的なＵ形状のチャンネルを有する高分子挿入物に前記スロットを合致させるステップと、前記ストライカピンを前記チャンネルの内部に滑るように接触することによって前記背もたれを前記車内の壁に繋ぐステップと、さらに前記ストライカピンと隣接して接触する領域にあってダイナミックに折り曲がるために前記挿入物の弾性的折り曲げ部を形成するステップとを備える。
【００１１】
本発明のこれらの様々な局面における説明にあって、フック挿入物は、静的な従来技術の設計特徴とは、前記ストライカピンに、及び、から伝達される振動をダイナミックに吸収するために弾性的折り曲げ部が形成されるという点で区別される。この同じ弾性的折り曲げ部は、前記ストライカピンの直径及び／又は前記スロットの幅の寸法の相違を自動的に収容するという長所でもある。
【００１２】
これらの特徴及び他の特徴及び本発明の長所は、以下の詳細な説明及び添付された図面との関係を考慮することにより、より容易に理解できる。
【図面の簡単な説明】
【００１３】
【図１】本発明の一つの具体的なアプリケーションを形成する拡大運転席ピックアップトラックの概略的な外観図である。
【図２】着座状態に設定された一部、収容状態に畳まれた他部を有するスタジアムタイム組立体を描写しながら、拡大運転席ピックアップトラックにおける後部座席領域の内部の様子を示す図である。
【図３】本発明の一具体例に係るスタジアムタイプ組立体の着座または使用状態にフルに配置された概略的な側面図である。
【図３Ａ】図３にあって円で囲んだ領域の拡大図である。
【図４】図３に示した概観のようであるが、収容位置と使用位置との間の中間状態におけるシートフレーム部を描写した図である。
【図４Ａ】図４にあって円で囲んだ領域の拡大図である。
【図５】図３に示した概観のようであるが、収容位置、つまり非使用状態としたシートフレーム部を描写した図である。
【図５Ａ】図５にあって円で囲んだ領域の拡大図である。
【図６】本発明の一具現化例に係るダイナミックフック挿入物の斜視図である。
【図７】異なる角度からの前記ダイナミックフック挿入物の斜視図である。
【図８】挿入物本体における弾性的折り曲げ部を説明するために、架空及び正常状態で示すストライカピンを伴うラッチブラケット内に配置されたフック挿入物の拡大側面図である。
【図９】図８に示した概観のようであるが、正常状態の小さな寸法の構成部及び架空線における伸びた寸法の構成部を有するストライカピンの描写図である。
【発明を実施するための形態】
【００１４】
図面を参照すると、同じ番号がいくつかの図を通して同じような又は対応する部分を示すなか、図１にあって拡張キャブピックアップトラックは１０で全体的に示されている。本発明の一つの固有の有利なアプリケーションとしてはピックアップトラックにおける座席用第２列のシートを挙げているが、自動車、スポーツ多目的車（ＳＵＶ）、バン、トラック、バス等が飛行機、列車、船舶等の座席環境と同様に含まれる様々な分野及びアプリケーションにての本発明の使用が理解できる。それにもかかわらず、以下の説明では、便宜上、ピックアップトラック１０における後部座席アプリケーションを特に取り上げる。ここでは、後部座席は、底部又はシートクッション１２及び背もたれ１４を含んで示される。
【００１５】
図２に示すように、シートは６０／４０分割タイプであり、シート長さの約４０％は、残りの６０％に相対的に独立している。シート部の一部は、収納又は折りたたみ又は非使用状態とされているが、残りの部分は着座用又は使用位置に配置されている。他のシート配置は、全長さのベンチシート、個別のシート、及び他の配置を含む。さらに、本発明は、ここにおいて、スタジアムシート態様として、背もたれ１４をより完全に、最大空間を稼ぎ出すために垂直方向に、上に向かって同時に動かす結合リンケージを伴い、シートクッション１２が全体的に垂直に回転され、非使用位置となる。このスタジアムシート構成は、全ての開示が参照としてこの明細書に組み込まれている米国特許7,270,371における前かがみのシート構造に関連して、或いは完全に置き換えられて使用される。両方のアプリケーションにあって、すなわち、スタジアムシート、前かがみシート、及び合体されたスタジアム及び前かがみシート構造にあっては、背もたれ１４は、この場合には乗客エリアの後ろ壁を含む後部客室につながれる。バスや列車のような他のシート構成にあって、客室の壁は、乗客エリア内の単にパーティション又は他の取り付け設備である。
【００１６】
ここで、図３乃至５Ａを参照すると、本発明が適用されたシート組立体のための具体的なフレーム構造の側面が示されている。一般的に、シートは発泡体、又は他のクッション材料が詰められ、さらに布地、ビニール、皮革又はシート分野にて周知の他の材料で覆われている。そのような詰め物、覆い物及び装飾は、この発明の適切な理解を容易にするためにこれらの図には示されていない。さらに、これ以降で述べられるシートは、本発明にあってともに用いられるための適切な動力調整機構、腰部の支持、他のバリエーションを含まない。当業者は、本発明が表示された座席組立体の特別な構成要素によって制限されないこと、及び前記新規な特徴は他のシートタイプに容易に適用されることを理解すべきである。
【００１７】
このため、図３乃至５Ａにおける、シートクッションは骨組だけのシートフレーム１８として示され、背もたれは骨組だけの背もたれフレーム２０として示される。これらは、管状部材として表示されるが、違うように設計される。前記シートフレーム１８は、フロアブラケット２６についてピボットピン２４周りにヒンジ的に接続されるピボットブラケット２２に接続される。したがって、使用状態及び収納状態の間の動きにあって、シートフレーム１８は、ピボットピン２４周りに手動にて回転される。これは、図３、４及び５を参照する順番にて理解することができる。前記背もたれフレーム２０は、前記ピボットブラケット２２に背もたれピボット２８周りに回動可能に結合される。したがって、シートフレーム１８が収納位置と使用位置にて操作されると、前記背もたれピボット２８は前記ピボットピン２４周りに円弧上を動く。
【００１８】
前記背もたれフレーム２０は車内の壁１６に向けて存在している後部面を備える。剛性ラッチブラケット３０は、前記背もたれフレーム２０の後部面から延びている。前記ラッチブラケット３０は、図８及び９に示すように、細長で全体的にＵ形状のスロット３２を有する。前記スロット３２は、車内の壁１６から延びるストライカピン３４を受容するように形成される。通常、必ずしも必要ではないが、ストライカピン３４は、断面が全体的に円形の金属体である。背もたれフレーム２０は、実質上、前記ラッチブラケット３０の前記スロット３２内に取り込まれるストライカピン３４を介して前記車内の壁１６につながれる。このように、図３乃至５ａに見られるように、前記ラッチブラケット３０は、前記シートフレーム１８が使用状態及び収容状態の間で操作されるとき、前記ストライカピン３４に沿って上側にスライドして上がったり、下側にスライドして下がる。全ての構成は、４本バーリンケージとして動きが阻止される。
【００１９】
スロット３２内の前記ストライカピン３４の間に様々に発生される不快なブンブン、キーキー及びガタガタ（buzz, squeak and rattle ;ＢＳＲ）という雑音は、前記ラッチブラケット３０に直接的に結合される全体的に３６で示されるダイナミックフック挿入物の使用によって、除去されるか或いは概ね減衰される。前記挿入物３６は、一具体例では、射出形成による高分子材料にて形成される本体を有し、図６及び７に最もよく示される。前記挿入物本体は、前記ラッチブラケット３０に直接的に取り付けられるように形成される。挿入物３６は、相互に隔離され全体的に平行であり、それぞれの上部端４２にて束ねられている一対の脚部３８，４０を備える。脚部３８，４０の間の分離は、前記ラッチブラケット３０のＵ形状のスロット３２を合致する細長で全体的にＵ形状のチャンネルを形成する。一つの脚３８は、図８及び９に示されるように、スロット３２から全体的に横に話される。この脚３８は、図８及び９に示されるように、前記ストライカピン３４に及びから伝達される振動を吸収するため、さらにはストライカピン３４内の寸法の変動を補償するようにラッチブラケット３０の間の空間内にて動的に移動可能である弾性的に折り曲げられる部分を備える。弾性的に折り曲げられる脚３８は、弾性の特別なモジュールを作るための大きさ及び形状とされる一つ以上のリブ４４によって支持される。この折り曲げられる脚部３８は、さらに前記ラッチブラケット３０と相互作用を起こすためのＵ形状のチャンネルから全体的に横に離れて延びる保持ストラップ４６を備える。保持ストラップ４６は、ラッチブラケット３０の対向する両側にまたがる一対のフランジ、或いは図６に示される、適切な位置にて折り曲げられる脚３８を確実に保持するためのフル取り囲みつばのいずれかであるか、或いはいくつかの他の機械的に等価な構成である。
【００２０】
好ましい具体例にあって、折り曲げ可能な脚部３８とラッチブラケット３０との間の分離は、前記脚部３８の末端とラッチブラケット３０の間の接触の支持点を形成するスタンドオフ４８によって達成される。本質的には、スタンドオフ４８は、フレキシブルな梁の中に全脚部３８を変形する。本発明の図示しない他の例にあっては、スタンドオフはラッチブラケット３０との小さな合体として形成されるか、他の例では、ラッチブラケット３０と挿入物３６との間の独立の挿入部品として形成される。さらに他の具体例にあって、前記弾性的に曲げられる部分は、全体的に挿入本体内にて全体的に一体に形成され、ラッチブラケット３０といかなる特別な相互作用も結果として生じない。言い換えれば、前記曲げ可能な部分は、前記チャンネルに平行とされる挿入物本体内に全体的に含まれるスロットによって形成される。曲げ可能な脚部３８は、また、ストライカピン３４の進入を容易にするために前記チャンネルへの口状の開口に近接する溝５０を備える。このように、スタンドオフ４８と溝５０は、両方とも脚部３８の末端で、ストライカピンを受容するチャンネルの口に近接して配置される。
【００２１】
挿入物３６の他の脚部４０は少なくとも一つの、しかし好ましくは、図７に最も良く示される二つの取り付けフランジ５２を備える。取り付けフランジ５２は、ラッチブラケット３０の相互の幅から離間されており、適切なフィットを提供するためにラッチブラケット３０の対向面にまたがる。取り付けフランジ５２は、機械的な固締部５６を受容するため、ラッチブラケット３０内の穴に対応して整列される穴５４を備える。固締部５６は、リベット、ボルト又は他の適切なデバイスの形状とされる。さらに、挿入物３６は、他の方法又はセルフロッキング特性、オーバーモールディング、接着等を含む装置によってラッチブラケット３０上の位置に保持される。取り付けフランジ５２は、必要なら強化機能を備える。
【００２２】
本発明は、可動背もたれ１４と車内壁１６との間の結合における雑音を誘発する振動を削減するための方法を意図している。方法の各ステップは、背もたれ１４上にＵ形状のスロット３２を有するラッチブラケット３０を設けるステップを含む。さらに方法は、相補的なＵ形状のチャンネルを有する高分子挿入物３６に前記スロット３２を合致させるステップを含む。ストライカピン３４は車内の壁に取り付けられ、摺動可能にストライカピン３４をチャンネル内部に係止することによって前記背もたれ１４は車内の壁１６につながれる。振動の削減は、機械的な振動に対応してストライカピン３４の領域内にて動的にそらすために、挿入物３８の弾性的に曲げられる部分を形成することによって達成される。弾性的に曲げられる部分を形成するためのステップは、少なくとも挿入物３６の一部とスロット３２との間に空間を設けるため挿入物３６とラッチブラケット３０のスロット３２の間にスタンドオフを入れるステップを含む。スロット３２を嵌めるステップは、曲げ部３８を保持ストラップ４６によりラッチブラケット３０に相対的に配置するステップも含む。
【００２３】
図９に示すように、挿入物３６は、ストライカピン３４の直径の寸法の変動及び／又はスロット３２の幅の寸法変動を自動的に吸収するということで特に有利である。ストライカピン３４が有する拡大される直径は、図９に破線で示す。しかし、相対的には、これは製造時の可能性を通してスロット３２の幅の削減に等しいと考えられる。弾性的に曲がる脚部３８が、シートが使用位置と収納位置の間で移動されるとき、不適当なストレス又はラッチブラケット３０の相互作用の不都合な影響を形成することなく、自動的にこの拡大された半径のストライカピン３４の影響下から外れるのはあきらかである。このように、挿入物３６は、ラッチブラケット３０に対するストライカピン３４の少なくともいくらかの動きを吸収するために、変形される全体的に弾性的な本体として理解することができる。そのような構成は、快適な、機能的フィットを維持しながら、スロット３２とストライカピン３４の両者の製造誤差を許容する。さらにまた、挿入物３６は、容易に扱われる。取り付けフランジ５２は、保持ストラップ４６及びリブ４４のさらなる機能性を追加しながらも、ラッチブラケット３０上に位置される挿入物３６を安定化する。
【００２４】
様々な具体例として示した挿入物３６の構造及び配置は、説明のためにだけである。本発明のいくつかの具体例を詳細に説明しただけであるが、当業者は多くの変更が可能であることを容易に理解するであろう。前述の発明は、適切な法的基準にて記述されたので、記述は本質的に制限されるものではない具体例である。開示された具体例についてのバリエーション及び変更は、当業者によって発明の範囲内にて行われるのは明らかである。つまり、本発明の法的に有効とされる保護の範囲は、以下の特許請求の範囲についての検証によってのみ決定される。
【図１】
2010515610.tif 000003
【図２】
2010515610.tif 000004
【図３】
2010515610.tif 000005
【図３Ａ】
2010515610.tif 000006
【図４】
2010515610.tif 000007
【図４Ａ】
2010515610.tif 000008
【図５】
2010515610.tif 000009
【図５Ａ】
2010515610.tif 000010
【図６】
2010515610.tif 000011
【図７】
2010515610.tif 000012
【図８】
2010515610.tif 000013
【図９】
2010515610.tif 000014
【国際調査報告】
2010515610.tif 000015